(57)【要約】【課題】  装着対象物の裏側にある穴や紐や嵌め合い構造の壁掛装置は、掛ける部分を見ないで対象物を装着することが困難です。特に嵌め合い構造で強固な安定保持を得ようとすると、多方向から広い面積の接触が必要で着脱は困難になります。掛ける部分を見なくても、感触で容易に着脱できる壁掛装置の構造が課題です。【解決手段】  接触して壁掛機能をする装着対象物に取り付けられる機能部品Ｏと装着面に取り付けられる機能部品Ｉとで構成され、一方の機能部品には突起(Pr)があり、他方の機能部品には、着脱の時に突起(Pr)と点接触して壁掛機能部分を面接触させない平面(Sf)と、最終装着位置で突起(Pr)先端を接触させない逃げ空間(Cr)とがある構造の壁掛装置。着脱の時、突起(Pr)先端と平面(Sf)とが小さい面積で点接触して、小さな摺動抵抗で最終位置まで動かせ、最終位置で壁掛機能部分を面接触させ壁掛機能させます。【選択図】      図１
2006136709.tif 000002
【特許請求の範囲】
【請求項１】
壁や柱などの装着面に取り付けられ、接触して重量を支持し装着状態を保持する機能の部品Ｉと、額縁や掛時計などの装着対象物の背面にあり、接触して重量支持される機能の部品Ｏと、で構成される壁掛装置において、一方の部品には部分的に突き出た突起(Pr)があり、他方の部品には着脱の時は突起(Pr)先端と接触でき最終装着位置では接触できない平面(Sf)と、前記平面(Sf)の端には突起(Pr)が入る大きさ以上の逃げ空間(Cr)があり、
装着対象物の着脱の時に前記突起(Pr)先端が相手の平面(Sf)と点接触すれば、面接触して壁掛機能をする部品Ｏと部品Ｉとの支持・保持機能部分を面接触させず、前記点接触により感触で移動方向を知り、小さな摺動抵抗で軽い力で動かせるので着脱を容易にし、最終装着位置では前記突起(Pr)の先端は平面(Sf)と接触しないで逃げ空間(Cr)に位置し、前記支持・保持の機能部分を面接触させて壁掛機能をする構造の壁掛装置。
【請求項２】
請求項１記載の壁掛装置において、一方の部品にはマグネットと磁極端とがあり、他方には磁性材料でできた磁性面があり、着脱途中で磁極端の面と磁性面が面接触しないよう相手部品と点接触して隙間を作り、最終装着位置では磁極端面と磁性面とを面接触させて壁掛機能をさせるるために先端が相手部品と接触しない逃げ空間(Cr)に位置する、非磁性材料でできた突起(Pr)がどちらかの機能部品にある構造の壁掛装置。
【発明の詳細な説明】
【技術分野】
【０００１】
壁や柱などの装着面に装着される、額縁や掛時計などの装着対象物は家庭内にも数多くあります。本発明は、容易に着脱できて装着対象物の重量を支持し、装着状態を安定保持する壁掛装置に関します。
【背景技術】
【０００２】
壁掛装置には、装着対象物が落下しないよう重量支持する機能、手前や両サイドへ抜け落ちないよう留める抜け留め部分があり、地震や衝撃など外部からかかる力に対して装着状態を安定保持する機能が必要です。
壁掛装置の部品には装着対象物の背面にあり支持される機能部品Ｏと、装着面に取り付けられ支持する機能部品Ｉとがあり、二つの機能部品が接触したり嵌合したりして壁掛装置は機能しています。
従来より穴や紐や嵌め合いを利用した壁掛装置が広く利用されていますが、従来の装着対象物の裏側にある壁掛装置では接触する部分を見ないで着脱するのは大変困難ですし、装着後の安定保持機能は、点接触で支持される穴や紐には期待できません。
【０００３】
掛時計など小型軽量の対象物の背面には、機能部品Ｏとして薄い厚さの穴やだるま穴や逆Ｕ字形状の切り欠きなどが形成されており、Ｌ字フックや、先端に頭のある釘やピンや木ネジなど、抜け留め部分がある機能部品Ｉの略棒状突起物に差し込んで装着されます。
略棒状突起物の機能部品Ｉは、接触している一点だけで装着対象物の重量を支持していますので、他の部分が装着面に接触するなどして外力に対抗する摩擦力が作用しなければ、安定保持機能はありません。
装着方法は装着面の設定位置に前記機能部品Ｉを取り付け、前記機能部品Ｏが背面にある装着対象物を手で持って前記抜け留め部分を見ながら穴や切り欠き部分に差し込みます。穴や切り欠きの上縁端部と接触して重量を支持し、穴や切り欠きの上縁奥側面と接触して機能部品Ｉの抜け留め部分が機能します。装着は穴や切り欠きを通して引っ掛け外すときは逆の動作ですが、引っ掛け部分を見ないで感触だけで外すのは、容易ではありません。
穴や切り欠きの機能部品Ｏは紐同様一点で重量支持していますので、対象物の傾き修正が前面から容易にできます。重量支持さへできれば安定保持力はなくても手軽に修正すればよいという考え方もあり、安価で手軽な壁掛装置として普及しています。
【０００４】
嵌め合いを利用している壁掛装置では、二つの機能部品が複数方向で接触して抜け留めの機能をしています。複数方向あるいは広い面積や長い距離にわたって接触させるため、着脱は容易ではありません。また入口部分を多少広くしても限度があり、二つの機能部品を見ないで入口部分で嵌め合わせるのはとても困難です。
本発明の壁掛装置の実施例では突起(Pr)と空間(Cr)が嵌め合い構造のように見えますが、抜け留め機能を別の部分でさせれば、装着状態では突起(Pr)はどことも接触しない部分です。また抜け留め機能を兼用させても空間(Cr)は突起(Pr)が入りさへすれば良く、相似形でなくても、極端に大きくても問題ありません。
【０００５】
[特許文献１]は棚板など横長い板を壁面への取り付ける手段で、棚板の後方にあり鉛直の嵌合穴がある取付片下縁と、壁面に付けられ穴に嵌め合う鉛直の固定片がある支持片の上縁とが、後方へ下降する傾斜平面になっており、穴と固定片とを嵌合させて抜け留めと安定保持をさせるとともに、傾斜平面を密着させて重量を支持するものです。
固定片と穴との嵌合が本発明の突起(Pr)と隙間(Cr)との関係に似て見えますが、固定片の先端が取付片下縁の傾斜平面と接触しても長手方向に傾斜していないため穴の入口方向が感触ではわからず、また固定片と穴が嵌入寸法のため、固定片と穴の入口が合致しても合致したことが感触ではわからない構造で、本発明の課題解決手段になりません。
嵌め合い構造では、入口部分を見ないで位置合わせをするのは困難です。また嵌め合いは複数の方向での接触を要求し、着脱では少なくとも嵌め合いの距離を動かさなければなりませんが、嵌め合わせながら軽い力で動かし、最終位置を感触で知ることは困難です。本発明の壁掛装置は、突起(Pr)は壁掛機能をしないで最終装着位置では突起(Pr)より大きい逃げ空間(Cr)に入り、別の壁掛機能する部分が接触する構造です。
【０００６】
[特許文献２]は、下辺の方が短い台形状に突き出した平板の端面三辺に溝がある金具Ｏと、同じ逆さ台形で取付面と平行に内側に薄板を折り曲げ前記溝と嵌め合う縁部の金具Ｉと、二つの構成部品からなる壁掛装置です。
重量は金具Ｉ下辺の水平端面部で支持され、金具Ｉの内側に折り曲げた縁部と金具Ｏの傾斜溝との嵌め合い構造で抜け留めと安定保持させる構造です。縁部と平行溝とを嵌め合わせ、最終装着位置まで動かします。
該文献の壁掛装置では、左右方向には傾斜辺がありますが、前後方向では縁部と平行溝とを嵌め合わせなければなりません。しかも金具ＩとＯは上下端で幅が異なるため、挿入時には左右どちらかの縁部に溝を嵌め合わせなければならず、最終装着位置まで来て幅が一致して溝と縁部の嵌め合いによる抜け留めと重量支持の機能になります。装着時に接触するのは一傾斜辺の縁部で、最終位置でも接触し、逃がす部分(Cr)はありません。
【０００７】
[特許文献３]は、幅が二種類で二段に重なった板状金具Ｉと、上端を折り返して金具Ｉの幅広一段を挟み、幅の狭い一段と端面で接触する同形状の切り欠きを設け、入口の下端が入れやすいように略ハの字状に傾斜して切り欠かれている金具Ｏと、二つの構成部品からなる壁掛装置です。
前述の文献同様前後方向には傾斜がなく、装着面と金具Ｉとの平行溝に金具Ｏの折り返した縁を入れるのは容易ではありません。金具Ｏ下辺の切り欠き入口は略ハの字状に幅広くなって、左右方向は多少挿入しやすくなっていますが、本発明の突起(Pr)と逃げ(Cr)に相当する部分はありません。
【０００８】
[特許文献４]は、鏡を保持する枠材等に固定される金具で、壁面に突設されたビス等の係入を誘導する略ハの字状の落込穴と、端面が接触して重量支持される横長状の調整穴とが形成されています。点接触の重量支持部分を入れるため間口を広げた構造で、最終装着状態で傾斜辺は接触しません。金具一つでは安定保持できないので複数の位置合わせのための落込穴で、装着しても幅の狭い側から外すのは困難です。
本発明は面接触で壁掛機能をするので、該文献では面接触に対応できません。傾斜面を用いるのは一実施例で、点接触する突起(Pr)が傾斜面と接触した方が着脱の時に移動する方向が感触でわかりやすいためで、入口の間口を広げる目的で作る傾斜ではありません。
【０００９】
[特許文献５]は、左右対称で上から下へ末広がりに傾斜し、かつ入口より奥が広いアリ溝になっている機能部品Ｏと、嵌め合い形状の壁面に取り付く機能部品Ｉとで構成され、アリ溝嵌合して安定保持する壁掛装置です。入口の方が狭いので縁の部分で抜け留め作用をし、重力の分力が装着面に固定された傾斜面を左右に滑り落ちようと作用し、重量支持と安定保持機能をしています。
アリ溝は一方が広いので広い方からの装着は容易に見えますが、左右対称な傾斜アリ溝なので上方から片方の辺に接触させて、接触面積を増やしながら、左右をかみ合わせながら、装着位置まで移動しなければなりません。断面三角形状の端面がアリ溝の途中で食い込んだ場合、装着途中で動かなくなる可能性があります。本発明は同一断面形状ではない突起(Pr)が接触するので、アリ溝でも食い込まないよう着脱移動できます。
【００１０】
[特許文献６]は、切欠部の端縁に取付面側へ下向き傾斜または円弧状となる支持縁を設けた機能部品Ｉと、切欠部の外形状に形成した相応する取付部の端縁に前記支持縁に係合する同一向きの傾斜または円弧状となる係止縁を設けた機能部品Ｏと、で構成される壁掛装置で、端縁が傾斜面で取付面と鋭角をなしアリ溝となっています。また図８では、凹凸関係で嵌め合う種々の形状の支持縁・係止縁が開示されています。
該文献は着脱の容易さより装着対象物の確実な取り付けを目的に考えられており、二つの壁掛部品が一つの剛体を切り欠いた形状で、再び合わさることで安定保持する壁掛装置です。支持縁・係止縁の接触も、機能からできるだけ長い距離が有効です。支持縁の断面と接触する係止縁の空間が断面同一形状で、装着時には移動に伴い接触面積が増え、特に寸法公差や変形によって、装着の途中で食い込んで動かなくなる可能性もあります。
本発明の突起(Pr)は支持・係止の機能を持たず、該文献記載の縁とは別機能・別目的の部分で、最終装着位置まで壁掛機能部分を面接触させない目的で相手の平面(Sf)と点接触して着脱を容易にし、最終装着位置で別の部分にある支持縁・係止縁など壁掛機能部分を面接触させる構造の部分で、図８で開示されている縁とは違います。
【００１１】
マグネット画鋲が多く使われています。相手が磁性材の面であれば、紙や布などに穴を開けないで任意の位置に吸着させるだけで装着でき、とても便利です。装着面を磁性材面に限定して、マグネット付き壁掛装置として開示されている特許文献も多くあります。
マグネットの吸着力は大きくても、吸着面に沿って動かすような磁気抵抗が変化しない動きに対しては吸着力を抗力とした摩擦力が働きますので、通常は吸着力より小さな力で動きます。従来からあるマグネット付き壁掛装置で対象物の重量を吸着力だけで支持した場合には、落下方向へ動く可能性があります。対策を講じた特許文献もあります。
[特許文献７]は、双方の磁性板に余積と磁石を設けてそれぞれ固着し、磁石の上下縁を当てて落下の方向へ動かない手段とした掛止具です。耐荷重としては、磁石を固着している接着剤の固着強度になり、経時変化など不安が残ります。
【００１２】
額縁のように重量がある対象物を装着面に取り付ける手段としてマグネットを利用するためには、環境変化や経時変化を考慮し相手の磁性面を限定して耐荷重量に対する吸着力を設定しないと、重量支持の保証が出来ません。
[特許文献８]は、本発明者によるマグネットを使った壁掛装置で、抜け留めと安定保持機能に吸着力と部分的なストッパを利用しています。マグネットと磁性材の金具とで閉じない磁気回路を構成する機能部品と、接触して重量を支持するとともに前記磁気回路を閉じて発生する吸着力で装着状態を保持する機能がある金具とで構成される壁掛装置です。本発明の構造がないので、見ないで最終装着位置を知ることは容易ではありません。
理論的には重力の代わりに磁力が作用し磁気抵抗が最も小さい位置へ固定されていない方の部品が動いてくれるはずなのですが、磁極端と磁性面とが面接触すると吸着力による摩擦力が大きく、最終位置への移動が困難になります。最終装着位置まで磁極端と磁性面とを面接触させないよう突起(Pr)を設けることで、容易に装着することができます。
【００１３】
調査・参照した特許文献
【特許文献１】特開２００３−２１０３０９：「壁等取付け部材」
【特許文献２】ドイツ特許公開ＤＥ３６３２８１９号：「Halterung,insbesondere Bilderhalterung」
【特許文献３】フランス特許公開ＦＲ２４２２３６９号：「Dispositif de fixation pour miroirs,tableaux, ou analogues」
【特許文献４】実開平１−１５００７２：「鏡取付金具」
【特許文献５】実開平３−１１８６６：「壁掛装置」
【特許文献６】特開平６−１１３９３９：「物品係止装置」
【特許文献７】実用新案公告昭５４−３２１１９号公報：「可撓性薄板磁石の掛止具」
【特許文献８】特開２００４−３０５７２３：「マグネットを使った壁掛装置」
【発明の開示】
【発明が解決しようとする課題】
【００１４】
前面から見えない位置にある穴や紐や嵌め合い構造の壁掛装置では、掛ける部分を見ないで対象物を装着することは困難です。装着対象物の裏を覗き込みながらの作業は無理な姿勢になり、身体の不自由な方や首を動かすと激痛を感じる方などにはとても困難な作業です。また、高い位置に装着する無理な姿勢での作業は危険も伴います。
本発明の課題は、壁や柱などに装着される対象物の裏側で、前面からは見えない位置にありながら、壁掛装置部分を見なくても容易に着脱でき、重量の支持と、手前や両サイドへの抜け留めと、装着状態の安定保持の壁掛機能をする壁掛装置の構造です。
従来の壁掛装置は狭いより広い方が着脱が容易という思想で、入口を広げて壁掛機能をする部分を入れやすくしていますが、入口まで見ないで持っていける構造はなく、入口も左右は広がっていても前後は位置合わせが困難なばあいが多くありました。
【課題を解決するための手段】
【００１５】
本発明の「着脱容易」という思想は、二つの壁掛部品を広い範囲で接触させることができ、接触した壁掛装置部分を見なくても感触で移動方向を知り、最終装着位置へ軽い力で動かすことができ、最終装着位置では厳しい寸法の嵌め合い構造ではなく接触だけで重量支持と安定保持の壁掛機能をする、壁掛装置の構造を考えました。
本発明では掛ける部分を見ないで着脱することが困難な穴や紐と略棒状突起物との組み合わせによる点接触支持や嵌め合い構造ではなく、一方の部品に突起(Pr)があり、他方の部品に突起(Pr)先端が点接触する平面(Sl)と、平面の端部に突起(Pr)の逃げ空間(Cr)があり、着脱時には突起(Pr)が点接触して壁掛機能する部分を面接触させず、最終装着位置で安定保持できる面積で二つの部品が面接触して、壁掛機能をする構造の壁掛装置です。
【００１６】
[請求項１]は課題解決に必要な壁掛装置の構成要素で、壁や柱などの装着面の装着位置に取り付けられ、接触して重量を支持し装着状態を保持する機能の部品Ｉと、額縁や鏡や掛時計などの装着対象物の背面にあり、接触して重量支持される機能の部品Ｏと、少なくとも二つの部品で構成される壁掛装置です。
機能部品Ｉか部品Ｏの一方には部分的に突き出た突起(Pr)があり、他方には着脱の時に突起(Pr)先端と接触でき最終装着位置では接触できない面積の平面(Sf)と、前記平面(Sf)の端には突起(Pr)が入る大きさ以上の逃げ空間(Cr)があります。
前記平面(Sf)は、厳密には平面でなくても突起(Pr)が平面との点接触として小さな摺動抵抗で移動できれば良く、最終装着位置に装着対象物を直接持っていけるなら、突起(Pr)は相手の平面(Sf)と接触することはありません。逃げ空間(Cr)は上下に接触面がなければ全周に縁のある空間でなくても良く、部品の外部でもかまいません。
通常は装着対象物の着脱の時に、前記突起(Pr)の先端が相手の平面(Sf)と点接触し、面接触して壁掛機能をする部品Ｏと部品Ｉとの支持・保持機能部分を着脱途中では面接触させず、壁掛機能は働きません。装着対象物は突起(Pr)先端を点接触させ、感触で移動方向を知りながら、小さな摺動抵抗で軽い力で動かせるので着脱が容易になります。前記平面(Sf)が傾斜面であれば、重力で自動的に最終装着位置へ移動させることも可能です。
最終装着位置では前記突起(Pr)の先端は逃げ空間(Cr)に入り、平面(Sf)との点接触から外れます。代わって二つの部品の支持・保持機能部分が面接触して重量支持と安定保持をする構造で課題を解決させます。外すときは再び突起(Pr)を接触させれば楽に外せます。
【００１７】
装着は、機能部品Ｉが体の中央になる位置に立ち、装着対象物(Ｏbj)の両側下方を両手で持って部品Ｉの上部まで持ち上げ、対象物(Ｏbj)背面が機能部品Ｉの前面と接触したのを感じるまで装着面(Ｗal)に近づけ、対象物を下方へ下げます。最初から突起(Pr)が空間(Cr)に入らない限り、突起(Pr)先端はまず傾斜面(Sf)と接触します。後は突起(Pr)を平面(Sf)に沿って、感触で逃げ空間(Cr)に入るまで移動し、装着状態になります。
装着状態では二つの機能部品の水平端面(SpＩ・SpＯ)が接触して重量支持の機能をします。また鉛直面同士(HdＩ・HdＯ)が接触して安定保持機能をします。突起(Pr)の鉛直面と対象物(Ｏbj)に対向する空間(Cr)の縁面が接触して、前後方向の抜け留めになります。
外すときは、装着対象物(Ｏbj)の両側を両手で持って手前に引き、下端を浮かせます。突起の高さ分持ち上げて空間(Cr)から突起(Pr)を抜き、傾斜面(Sf)と突起(Pr)の先端とを接触させますと、装着途中状態となり容易に外せます。
嵌め合い構造では、見なければ確認できない嵌め合いの距離分頼る所のない空中へ持ち上げないと外れませんが、本壁掛装置の構造は一度点接触状態にしてどこかが接した状態から外せるので、安心感があります。
【００１８】
[請求項２]は、請求項１記載の着脱を容易にする構成要素がある壁掛装置ですが、一方の部品にはマグネットを内蔵し磁極端がある面があり、他方には磁性材料でできた磁性面があり、着脱途中で磁極端の面と磁性面とが面接触しないよう、相手面と点接触して隙間を作る、非磁性材料でできた突起(Pr)が機能部品ＩかＯのどちらかにある構造の壁掛装置です。
磁極端と磁性面とを面接触させますと、磁路が閉じて吸着力を抗力にした大きな摩擦力が移動を困難にしますので、突起(Pr)は相手面と点接触して着脱途中で磁極端と磁性面とが面接触しないよう隙間を作り、接触面積だけでなく磁路を閉じさせない作用をします。
最終装着位置では前記突起(Pr)は相手部品と接触しない位置にあり、磁極端と磁性面とを接触させて磁路を閉じさせ、前述の大きな摩擦力で装着状態を安定保持します。吸着力を抗力にした大きな摩擦力が作用しますので、機械的な抜け留め構造は必要としません。外すときは突起(Pr)の先端を相手部品の面にのせて磁極端と磁性面との間に隙間を作り、摩擦力と吸着力を弱めて容易に外すことができる構造の壁掛装置です。
【発明の効果】
【００１９】
本発明の壁掛装置は二つの機能部品の機能する部分が面接触して壁掛機能をしますが、着脱途中では突起(Pr)が相手平面(Sf)と点接触して前記壁掛機能をする部分を面接触させず、安定保持の壁掛機能を作用させないで点接触状態で軽い力で移動できるため、着脱の時から壁掛機能部分を接触させている従来の壁掛装置に比べて着脱が大変容易です。  
従来の壁掛装置は壁掛機能部分利用して着脱をしていますが、壁掛機能部品内で処理しているため狭い範囲でした。本発明は容易な着脱のための構成要素を壁掛機能と独立させましたので、状況にあわせて自由に設定でき、位置決めの機能を利用してきつい嵌合にも対応できます。
本発明の壁掛装置は、突起(Pr)が相手平面(Sf)に点接触しているときと逃げ空間(Cr)に入ったときとで、感触が極端に変わりますので、最終装着位置を感触で容易に知ることができます。傾斜面と組み合わせれば、自重で装着できます。
従来の嵌め合い構造の壁掛装置は外す方向があり、違う方向に力がかかると摩擦抵抗が増えて外すのが困難で、外すのに必要な力と持ち上げる距離がわからない場合がありました。本発明の壁掛装置は、突起(Pr)を相手平面(Sf)と点接触させれば容易に外せます。
【００２０】
機能部品Ｏは簡単な構造で、強度さへ確保できれば材質の制限がありませんので、額縁の裏板や縁枠の背面、掛け時計の切り欠き穴の付近など、適当な位置に装着対象物の構成材料で形成しておけば、装着面に取り付けた適合する機能部品Ｉに手軽に装着できます。
【００２１】
マグネットを有する壁掛部品の構造は、磁極面に対向してマグネットより面積が大きい磁性材のヨークがあり、外周辺に磁極端の面が必要で、マグネット全体を覆っている構造なので、装着状態でなくてもマグネット画鋲より外部への漏れ磁束は小さい構造です。
【発明を実施するための最良の形態】
【００２２】
[図１]を見ながら本発明の壁掛装置構成と着脱手順を説明します。
[図１]は本発明の壁掛装置構造の機能部品Ｉと機能部品Ｏの装着説明図です。
[図１−１]は装着面(Ｗal)に取り付けた機能部品Ｉに、対象物(Ｏbj)背面に取り付けた機能部品Ｏを装着しようとしている状態を側面から見た図で、[図１−２]は機能部品だけを取り出して、対象物正面から対象物(Ｏbj)を透視して見た図です。着脱を容易にするための構成要素である、突起(Pr)と平面(Sf)と逃げ空間(Cr)の構造実施例を示しています。
機能部品Ｏには、上部に最終装着位置で突起(Pr)が入る大きさの逃げ空間(Cr)の縁三辺があり、対象物(Ｏbj)背面とで穴になり抜け留め機能をします。空間(Cr)の下端面(SpＯ)は機能部品Ｉの上面(SpＩ)より幅が広く、接触して重量支持されます。また、前記下端面(SpＯ)につながる両側の鉛直面(HdＯ)は左右への抜け留めとして機能します。さらに下方の略ハの字状の傾斜面(Sf)が着脱時に突起(Pr)と点接触して、着脱を容易にします。
機能部品Ｉは側面から見ると略Ｌ字形状で、上面(SpＩ)が水平面で装着対象物の重量を支持する面になっており、左右にある鉛直な側面(HdＩ)が相手の面(HdＯ)と接触して左右への抜け留め、装着面(Ｗal)から離れた位置で前記上面(SpＩ)中央部分から前記空間(Cr)の縁を形成する面と接触して、前後の抜け留めを兼用する突起(Pr)が突き出しています。
【００２３】
機能部品の取り付けは、装着面(Ｗal)の希望の位置に、重量支持面(SpＩ)が水平になり突起(Pr)が鉛直になるよう、機能部品Ｉを強固に取り付けます。次に装着対象物(Ｏbj)の上部背面中央部に、接触して重量支持される下端面(SpＯ)が水平になるよう、機能部品Ｏを強固に取り付けます。両方の弱いほうの固着強度が耐荷重量になりますので、木材など脆くない構造材料にネジくぎなどで固定されることが望まれます。
着脱方法は、課題を解決するための手段の中で記述しています。
【００２４】
本実施の形態は、突起(Pr)が前後の抜け留め機能を兼ねている他は機能ごとの部分があります。傾斜面を利用しますので、突起(Pr)先端が機能部品Ｏの下の幅内にくるよう装着対象物(Ｏbj)を持っていけば、自重で最終装着位置になります。
【００２５】
図はありませんが、突起(Pr)に抜け留め機能を兼ねさせないことも容易です。例えば、突起(Pr)の装着面(Ｗal)側を角穴にし、装着状態で角穴と接触する位置の接触面(SpＯ)から下方へ抜け留めＬを突き出します。
突起(Pr)と抜け留めＬは装着状態で干渉しません。その他機能を分離したり兼用したりしてさまざまな構造が考えられますが、突起(Pr)と、平面(Sf)と、逃げ空間(Cr)は、外せない構成要素です。
【００２６】
本最良の形態は突起(Pr)が主題のため、傾斜面は着脱の時だけに利用し二つの機能部品の水平面と鉛直面の接触で壁掛機能をさせていますが、本発明者による傾斜面を主題にした、実用新案登録第３１０７６１１：「傾斜面がある壁掛装置」、実用新案登録第３１１１１６３：「着脱容易な壁掛装置」は、壁掛機能も傾斜面同士の接触にして一つの傾斜面を二つの機能で共用し、さらに着脱を容易にする機能や手段を加えた実用実施例です。
本発明の突起(Pr)は該実用新案の中では抜け留め機能の部分Ｌの先端にあり、逃げ空間(Cr)は隙間Ｃまたは空間Ｃと記述され、着脱を容易にする作用を記載しています。
従来技術の嵌め合いやアリ溝構造は、縁を利用した抜け留め機能を内蔵しているため、別の抜け留め機能部分はありませんが、抜け留め機能の先端は突起(Pr)ともいえます。
突起(Pr)は抜け留め機能部分の先端として存在していても、相手部品がなければ機能しない部分なので、容易に着脱という思想が、点接触による小さな摺動抵抗での着脱という従来技術にない発想を満足させる構造の一要素として提案しています。
傾斜面を利用した壁掛装置は公知の技術ですが、従来技術にはない突起(Pr)を組み合わせることで本思想の容易な着脱が実現でき、嵌め合いやアリ溝とは違う傾斜面同士の面接触による安定保持機能の効果も大きいので、傾斜面と組み合わせた考案が該実用新案です。
従来技術の壁掛装置では装置付近へ対象物を持って行っても、重力が作用した自動的な装着はできません。寸法公差や嵌め合い部分の変形で、装着や外すのが困難な可能性もあります。突起(Pr)と傾斜面を組み合わせ、壁掛機能を傾斜面同士の面接触にすることで、着脱容易で安定保持という矛盾した課題を解決した実用実施例です。
【実施例１】
【００２７】
[図２]は本発明の逃げ空間(Cr)が壁掛機能部分の両側にある部品Ｉと、突起(Pr)が壁掛機能部分の両側にある部品Ｏの装着説明図です。傾斜面を利用しない実施例です。
【００２８】
[図２−１]は装着面(Ｗal)に取り付けた機能部品Ｉに対象物(Ｏbj)背面にある機能部品Ｏを装着しようとしている状態を側面から見た図で、[図２−２]は機能部品Ｏを上面から見た図、[図２−３]は正面から対象物を透視して見た図で、水平状態の機能部品Ｏから、機能部品Ｉに接触させた説明図です。[図２−４]は機能部品Ｉを下面から見た図です。
機能部品Ｏは、機能部品Ｉの上端面(SpＩ)より幅が広く、接触して重量支持される下端面(SpＯ)と、前記下端面の両側につながる鉛直面(HdＯ)とで構成され、前記鉛直面の下端部分が突起(Pr)となります。突起(Pr)と対象物(Ｏbj)背面との間には、機能部品Ｉ前面のツバが入る空間があります。
機能部品Ｉには、機能部品Ｏの下端面(SpＯ)と接触して重量支持する上端面(SpＩ)と、装着面(Ｗal)との間に空間(Cr)を設けて空間(Cr)の一辺を構成するツバがあります。前記鉛直面もツバも、抜け留めとして機能します。
【００２９】
機能部品Ｉは上方からみて略Ｔ字形状で、縦棒両脇が空間(Cr)となり、縦棒の下端面で装着面(Ｗal)に取り付けられます。機能部品Ｏは前面から見て略Π型形状で、装着対象物(Ｏbj)背面と前記ツバが入る空間をあけて取り付けられます。
重量を支持する面(SpＩ)が、着脱時に突起(Pr)と点接触する面(Sf)になります。また、突起(Pr)は抜け留めを兼用しています。
機能部品の取り付けは、上から見て前記略Ｔ字形状のＴ字下端面が装着面(Ｗal)の希望の位置で接触するよう機能部品Ｉを、また装着対象物(Ｏbj)の上部背面中央部に、接触して重量支持される下端面(SpＯ)が水平になり、突起(Pr)が下向き鉛直になるよう機能部品Ｏを、共に強固に取り付けます。両方の弱いほうの固着強度が耐荷重量になりますので、木材など脆くない構造材料にネジくぎなどで固定されることが望まれます。
【００３０】
装着方法は課題を解決するための手段の中で記述していますが、突起(Pr)は左右に二つあり、通常どちらかの突起が平面(Sf)と接触します。対象物(Ｏbj)を水平に維持しようとしなければ[図２−３]のように二点接触になり対象物(Ｏbj)が傾きますので、移動方向がわかります。突起(Pr)が逃げ空間(Cr)に入るまで移動させて、装着状態になります。
装着状態では、二つの機能部品の水平面(SpＯ・SpＩ)が接触して重量支持の機能をします。また水平面に連続する鉛直面同士(HdＯ・HdＩ)が接触して左右方向の安定保持の機能をします。突起(Pr)の対象物(Ｏbj)側鉛直面と、空間(Cr)を形成する装着面(Ｗal)と対向するツバ面が接触して、前後方向の抜け留めになります。
外すときは装着対象物(Ｏbj)の両側を両手で持って傾け、突起(Pr)の高さ分持ち上げ、空間(Cr)から突起を抜き、左右どちらかの突起(Pr)下端を重量を支持する面(SpＩ)へ載せます。対象物(Ｏbj)を水平にすれば、点接触しているだけで引っ掛かかる所はないので、対象物は容易に外せます。
【実施例２】
【００３１】
[図３]は、本発明の請求項２記載のマグネットを内蔵した壁掛装置の装着説明図です。
[図３−１]は装着面(Ｗal)に取り付けた、マグネットを内蔵した機能部品Ｉに、対象物(Ｏbj)背面にある磁性材料でできた機能部品Ｏを装着しようとしている状態を側面から見た図で、[図３−２]は機能部品Ｏを正面から見た図、[図３−３]は正面から対象物を透視して見た図で、機能部品Ｏと機能部品Ｉを接触させた説明図です。
機能部品Ｉは略ひし形形状で中央にマグネット(Ｍag)を内蔵し、磁極端がある四面(Sf)があり、機能部品Ｏには磁性材料でできた前記磁極端の上二面と装着状態で接触する磁性面(SpＯ)と、着脱途中で磁極端と磁性面とが面接触しないよう隙間を作る、非磁性材料でできた突起(Pr)が磁性面の端にある構造の壁掛装置です。
【００３２】
磁極端の面にはＮ・Ｓの磁極と磁極間の隙間があり、厳密には平面ではありませんが、前記隙間より突起先端部の接触面積が大きければ磁極端面は平面(Sf)として機能します。磁極面(Sf)と磁性面(SpＯ)との間に隙間を作るのは、接触面積を小さくするだけでなく、吸着力を弱めて抗力を小さくし摩擦力を小さくして移動を容易にします。作られる隙間で容易に動かせる磁力のマグネットを使う必要があります。
最終装着位置では前記突起(Pr)は機能部品Ｉの幅の外にあり、磁極端の上二辺の面(Sf)と磁性面(SpＯ)とが接触して磁路を閉じ、前述の大きな摩擦力で装着状態を安定保持しています。摩擦力は抜け留め機能もします。
外すときは突起(Pr)の先端を機能部品Ｉの磁極端面(Sf)にのせて、磁極端と磁性面との間に隙間を作り、摩擦力と吸着力を弱めて容易に外すことができます。
【産業上の利用可能性】
【００３３】
従来からある装着対象物の裏側に取り付けられる壁掛装置では、作業がやりにくい状態で対象物を装着していました。本発明の壁掛装置も見えない位置に取り付けられますが、壁掛装置部分を見なくても感触で容易に着脱できますので、身体に不自由なところがある方にも健康な方にも便利に利用していただけるものと思います。
床や畳の上に置かないで、壁面や柱に装着したい対象物は家庭内にも数多くあります。掃除の時など床から一時的に壁面に掛けられたら、掃除が大変やりやすくなります。またこれまで素人には困難であったエアコンや壁掛テレビなど重量のあるものの装着も、容易に着脱でき安定保持機能のある本発明の壁掛装置は、作業時間の短縮を可能にします。
【図面の簡単な説明】
【００３４】
【図１】本発明の壁掛装置構造の機能部品Ｉと機能部品Ｏの装着説明図[１]  装着途中状態を側面から見た説明図[２]  [図１−１]を正面から装着対象物(Ｏbj)を透視して見た機能部品図
【図２】本発明で傾斜面を利用しない壁掛装置での一実施例の装着説明図[１]  装着途中状態を側面から見た説明図[２]  機能部品Ｏを上から見た上面図と装着対象物(Ｏbj)を透視して見た正面図[３]  機能部品Ｏと部品Ｉを接触させた装着途中状態説明図[４]  機能部品Ｉを下から見た下面図
【図３】本発明の請求項２のマグネットを使った壁掛装置の装着説明図[１]  装着途中状態を側面から見た説明図[２]  機能部品Ｏを装着対象物(Ｏbj)を透視して見た正面図[３]  機能部品Ｏと部品Ｉを接触させた装着途中状態説明図
【符号の説明】
【００３５】
Cr：突起(Pr)が最終装着状態で位置する逃げ空間
HdＩ：接触して装着対象物を安定保持する面
HdＯ：接触して装着対象物が安定保持される面
Ｉ：装着面に取り付けられ、重量を支持する壁掛機能部品
Ｍag：永久磁石
Ｏ：装着対象物背面にあり、重量支持される壁掛機能部品
Ｏbj：装着される対象物
Pr：着脱時に相手平面(Sf)と点接触すれば移動を容易にする突起
Sf：着脱時に相手突起(Pr)と点接触して移動を容易にする平面
SpＩ：接触して重量を支持する面
SpＯ：接触して重量が支持される面
Ｗal：壁や柱などの装着面
【図１】
2006136709.tif 000003
【図２】
2006136709.tif 000004
【図３】
2006136709.tif 000005